(57)【要約】【課題】あまりコストをかけることなく簡単な構成で自動的に複数段階の風量調節を行えるような風量調節ダンパの提供。【解決手段】ダクト１２内を上流側と下流側とに仕切る仕切板１４と、仕切板１４に設けられ上流側と下流側とを連通させる連通口１６と、仕切板１４に回転可能に設けられ、ダクト１２内を流通する空気の流量に応じて回転する主動板２０と、主動板２０を空気の流れにより回転する方向とは逆の方向に付勢するための錘４０と、主動板２０の回転角が所定角を超えたときに、主動板２０に順次係合して主動板２０とともに回転する従動板２２、２４とを備え、主動板２０及び従動板２２、２４の回転により連通口１６を開閉する。【選択図】　　　図１
2004138252.tif 000002
【特許請求の範囲】
【請求項１】
ダクト内を上流側と下流側とに仕切り、その上流側と下流側とを連通させる連通口を有する仕切板と、前記連通口を開閉する開閉機構とを備えた風量調節ダンパであって、
前記開閉機構は、前記仕切板に対して回転可能に設けられ、前記ダクト内の所定の向きの空気の流れに応じて所定の回転方向に回転する主動板と、前記所定の回転方向とは逆の方向に前記主動板を付勢する付勢手段と、前記主動板が前記所定の回転方向に回転してその回転角が所定角を超えたときに、当該主動板に係合して当該主動板とともに回転する従動板とを備え、これら主動板及び従動板の回転により前記連通口を開閉することを特徴とする風量調節ダンパ。
【請求項２】
前記従動板には、前記主動板が前記所定の回転方向とは逆の方向に回転したときに、前記主動板に係合して前記主動板とともに回転するための係合部が設けられていることを特徴とする請求項１に記載の風量調節ダンパ。
【請求項３】
前記従動板を前記所定の回転方向とは逆の方向に付勢する付勢手段を備えたことを特徴とする請求項１に記載の風量調節ダンパ。
【請求項４】
前記開閉機構は、前記従動板の回転とともに前記従動板に順次係合して回転することにより、前記連通口を開閉する１または複数の他の従動板を備えたことを特徴とする請求項１〜３のいずれか１項に記載の風量調節ダンパ。
【請求項５】
前記主動板に対する付勢手段として前記主動板に錘を設けたことを特徴とする請求項１〜４のいずれか１項に記載の風量調節ダンパ。
【請求項６】
前記ダクトは、前記所定の向きに空気を供給するための給気経路を構成するダクトであり、前記主動板は、前記空気の流れが大きくなると前記連通口を閉塞する方向に回転するように設けられていることを特徴とする請求項１〜５のいずれか１項に記載の風量調節ダンパ。
【請求項７】
前記ダクトは、前記所定の向きに空気を排出するための排気経路を構成するダクトであり、前記主動板は、前記空気の流れが大きくなると前記連通口を開放する方向に回転するように設けられていることを特徴とする請求項１〜５のいずれか１項に記載の風量調節ダンパ。
【請求項８】
請求項１〜７のいずれか１項に記載の風量調節ダンパを用いた建物の換気構造であって、
建物の各階と当該建物の各階を貫通して設けられた中空筒体状のコア部との間を結ぶ空気流通経路に前記風量調節ダンパを設置したことを特徴とする建物の換気構造。
【請求項９】
屋外から各階空間部に外気を取り込むための給気経路に前記風量調節ダンパを設置したことを特徴とする請求項８に記載の建物の換気構造。
【発明の詳細な説明】
【０００１】
【発明の属する技術分野】
本発明は、ダクトを流通する空気の流量を調節可能な風量調節ダンパ及びこれを用いた建物の換気構造に関する。
【０００２】
【従来の技術】
建物の給気経路や排気経路などを構成するダクトには、流通する空気の流量を調節するための風量調節ダンパが設置されている。この風量調節ダンパは、ダクト内を流通する空気の流路断面の大きさを増減変更するための開閉機構を備えており、この開閉機構の開閉により風量を調節するようになっている。
【０００３】
この開閉機構の開閉方式として、手動方式と電動方式とがある。しかし、手動方式の場合、人の手によりいちいち開閉機構の開閉状態を確認しながら開閉操作しなければならず、非常に煩雑で面倒であった。また、電動方式の場合、開閉機構を開閉制御するために駆動モータや制御機構などが必要で、構成が複雑となり、大幅なコストアップを招く。
【０００４】
そこで、これらの方式に依らずに自動的に風量を調節できるダンパが提案されている（特許文献１参照）。このダンパは、ダクトを流通する空気の流れにより回転する回転部材を有し、この回転部材により、ダクトの流路断面を開閉することによって空気の流量を調節するしくみになっている。このため、煩わしい操作や複雑な構成が必要なく、風量を自動的に調節することができる。
【０００５】
【特許文献１】
特開２００１−２０８４１０号公報（２頁〜５頁、図１〜図６）
【０００６】
【発明が解決しようとする課題】
しかしながら、このダンパにあっては次のような問題点があった。すなわち、ダクトを流通する空気の流れによって流量を調節しているものの、回転部材の回転によって、ダクト内の開口部を開放するか閉塞するかのどちらかの状態にしか設定することができなかった。このため、ダクトの流通空気の流量に応じてもっと細かく、例えば、「弱風時」には風量を少なめにしたり、また「中風時」には風量を若干多めにしたり、また「強風時」には風量を非常に多めにしたりするなどといった複数段階の調節を行うことができなかった。
【０００７】
本発明は、このような事情に鑑みてなされたものであって、その目的は、簡単な構成であまりコストをかけることなく自動的に複数段階の風量調節を行うことができる風量調節ダンパ及びこれを用いた建物の換気構造を提供することにある。
【０００８】
【課題を解決するための手段】
前記目的を達成するために本発明に係る風量調節ダンパは、ダクト内を上流側と下流側とに仕切り、その上流側と下流側とを連通させる連通口を有する仕切板と、前記連通口を開閉する開閉機構とを備えた風量調節ダンパであって、前記開閉機構は、前記仕切板に対して回転可能に設けられ、前記ダクト内の所定の向きの空気の流れに応じて回転する主動板と、当該主動板を前記所定の向きの空気の流れに応じて回転する方向とは逆の方向に付勢する付勢手段と、前記主動板の回転角が所定角を超えると、当該主動板に係合して当該主動板とともに回転する従動板とを備え、これら主動板及び従動板の回転により前記連通口を開閉することを特徴とする（請求項１）。
【０００９】
この構成によれば、主動板の回転角が所定角を超えると、従動板が主動板とともに回転して連通口を開閉するから、空気の流量を複数段にわたって調節することができる。このことから、電動または手動に依らずに、非常に簡単な構成であまりコストをかけずに、複数段の風量調節を行うことができる。
【００１０】
この風量調節ダンパにあっては、前記従動板には、前記主動板が前記所定の回転方向とは逆の方向に回転したときに、前記主動板に係合して前記主動板とともに回転するための係合部が設けられていると良い（請求項２）。このような係合部が従動板に設けられれば、主動板が所定の回転方向とは逆の方向に回転したときに、従動板をその逆の方向に主動板とともに円滑に回転させることができ、これにより、連通口の開閉をスムーズに行うことができる。
【００１１】
または、この風量調節ダンパにあっては、前記従動板を前記所定の回転方向とは逆の方向に付勢する付勢手段を備えると良い（請求項３）。このような付勢手段を備えることで、主動板が前記所定の回転方向とは逆の方向に回転したときに、従動板も主動板とともに逆の方向に円滑に回転させることができ、これにより、連通口の開閉をスムーズに行うことができる。
【００１２】
この風量調節ダンパにあっては、前記開閉機構が、前記従動板の回転とともに前記従動板に順次係合して回転することにより、前記連通口を開閉する１または複数の他の従動板を備えていても良い（請求項４）。このような構成によれば、より多くの段数にわけて調節することができ、よりきめ細やかな風量調節を行うことができる。
【００１３】
また、この風量調節ダンパにあっては、前記主動板に対する付勢手段として前記主動板に錘を設けると良い（請求項５）。このように錘を設けることで、主動板に対して簡単に付勢を行うことができる。
【００１４】
さらに、この風量調節ダンパでは、前記ダクトは、前記所定の向きに空気を供給するための給気経路を構成するダクトであり、前記主動板は、前記空気の流れが大きくなると前記連通口を閉塞する方向に回転するように設けられている場合がある（請求項６）。このような場合、空気の流量が大きくなると連通口が閉塞されて空気の流量が抑制されるため、屋内への急激な外気の流入を防ぐことができる。
【００１５】
また、前記ダクトは、前記所定の向きに空気を排出するための排気経路を構成するダクトであり、前記主動板は、前記空気の流れが大きくなると前記連通口を開放する方向に回転するように設けられている場合がある（請求項７）。このような場合、空気の流量が大きくなると連通口が開放されて空気の流量が増えるため、屋内の空気をスムーズに外部に排出することができる。
【００１６】
本発明に係る建物の換気構造にあっては、建物の各階と当該建物の各階を貫通して設けられた中空筒体状のコア部との間を結ぶ空気流通経路に前記風量調節ダンパを設置したことを特徴とする（請求項８）。このように風量調節ダンパを設置すれば、コア部の煙突効果を利用して、建物の各階の室内空気をコア部に自然と排出して当該コア部から屋外へと自然排気することができる。
【００１７】
また、この建物の換気構造では、屋外から各階に外気を取り込むための給気経路に前記風量調節ダンパを設置すると良い（請求項９）。このように風量調節ダンパを設置することで、外気を各階に自然給気することができる。
【００１８】
【発明の実施の形態】
以下に本発明に係る風量調節ダンパの一実施形態について添付図面を用いて説明する。図１は、本発明の一実施形態に係る風量調節ダンパの構成を示した組立分解斜視図であり、図２は、その風量調節ダンパの正面図であり、図３は、ダクト内の空気の流量と、主動板の回転角度との関係を示したグラフであり、図４は、その風量調節ダンパの動作説明図である。
【００１９】
本実施形態に係る風量調節ダンパ１０は、図１に示すように、ダクト１２内部を上流側と下流側とに仕切る仕切板１４と、この仕切板１４に設けられ上流側と下流側とを連通する連通口１６と、仕切板１４に回転自在に設けられ、連通口１６をそれぞれ開閉する１枚の主動板２０および２枚の従動板２２、２４とを備え、ダクト１２を構成する２本のダクト管１３の接合部となるフランジ部１３ａ間に介設される。ダクト１２内部においては、図１中の矢印の方向に沿って空気が流通する。
【００２０】
仕切板１４は、所定の厚みの円板形をなし、ダクト管１３のフランジ部１３ａとほぼ等しい外径寸法に設定されている。そして、仕切板１４の外周の円環部１７が２本のダクト管１３のフランジ部１３ａ間に挟み込まれ、フランジ部１３ａおよび仕切板１４にそれぞれ形成された挿通孔１３ｂ、１４ａを挿通したネジ１５によってフランジ部１３ａ間に止め着けられる。
【００２１】
仕切板１４の表面には、一対の連通口１６が形成されている。これら連通口１６は、仕切板１４より仕切られたダクト１２の上流側と下流側とを連通するもので、仕切板１４の中央部を中心にそれぞれ略扇形状に左右対称に形成されている。仕切板１４の中央部には、円板部１８が設けられている。この円板部１８は、主動板２０および従動板２２、２４を回転自在に支持する部分であり、その中央部には、主動板２０および従動板２２、２４を回転自在に支持するための軸ピン２６が挿入されるピン挿入孔１９が設けられている。また、円板部１８から円環部１７にかけては、略扇形状をなす連結部２８が上下対称に一対形成され、両者を連結している。
【００２２】
一方、主動板２０および従動板２２、２４は、それぞれ円板部２０ａ、２２ａ、２４ａと、各円板部２０ａ、２２ａ、２４ａにそれぞれ一体形成された一対の羽根部２０ｂ、２２ｂ、２４ｂとを備えている。各円板部２０ａ、２２ａ、２４ａは、その外径寸法が仕切板１４の円板部１８とほぼ等しく形成され、その中央部に軸ピン２６が挿通されるピン挿入孔２０ｃ、２２ｃ、２４ｃが設けられている。仕切板１４に主動板２０および従動板２２、２４が装着される際には、各円板部２０ａ、２２ａ、２４ａが仕切板１４の円板部１７に順次重ね合わせられて、各ピン挿入孔２０ｃ、２２ｃ、２４ｃと仕切板１４のピン挿入孔１９とを貫通して軸ピン２６が挿入されて、仕切板１４に主動板２０および従動板２２、２４が回転自在に装着される。
【００２３】
他方、羽根部２０ｂ、２２ｂ、２４ｂは、円板部２０ａ、２２ａ、２４ａからそれぞれ上下方向に上下対称に延出形成されている。各羽根部２０ｂ、２２ｂ、２４ｂは、その形状が略扇形状に形成され、仕切板１４の連結部２８に重なり合うようになっているとともに、その長さが仕切板１４の略扇形状の連通口１６の半径寸法よりも若干長く設定され、主動板２０または従動板２２、２４が回転したときに、各連通口１６を閉塞することができる。
【００２４】
本実施形態では、主動板２０の羽根部２０ｂが、ダクト１２内の空気の流通方向に対して斜めに配置されるように取り付けられている。このため、ダクト１２内で空気が流通すると、主動板２０の羽根部２０ｂに回転力が生じて、この回転力が主動板２０に伝達される。これにより、主動板２０がダクト１２内の空気の流れによって回転する。
【００２５】
なお、主動板２０の円板部２０ａは、羽根部２０ｂが斜めに取り付けられていることで、その肉厚が従動板２２、２４の円板部２２ａ、２４ａよりも若干厚めに設定されている。また、従動板２２、２４の羽根部２２ｂ、２４ｂは、ダクト１２内の流通空気からの流れを受けて回転しないように、空気の流通方向に対して直交するように設けられている。
【００２６】
さらに、主動板２０とこれに隣接した従動板２２（以下、第１従動板という）とには夫々第１係合突部３０ａ、３０ｂが設けられ、また、第１従動板２２とこれに隣接した従動板２４（以下、第２従動板という）とには夫々第２係合突部３２ａ、３２ｂが設けられ、また、第２従動板２４と仕切板１４とには夫々第３係合突部３４ａ、３４ｂが設けられている。これら第１〜第３係合突部３０ａ、３０ｂ、３２ａ、３２ｂ、３４ａ、３４ｂは、主動板２０の回転とともに、当該主動板２０に対し、第１従動板２２、第２従動板２４および仕切板１４を順次係合させる役割を果たす。
【００２７】
すなわち、図２に示すように、主動板２０が第１従動板２２に対して相対的に所定の角度θ１回転すると、図１中の第１係合突部３０ａ、３０ｂが相互に係合される。これにより、第１従動板２２が主動板２０に係合され、主動板２０とともに回転しはじめる。さらに図２に示すように、主動板２０が回転してその回転角が角度θ２に達すると、図１中の第２係合突部３２ａ、３２ｂが相互に係合される。これにより、第２従動板２４が第１従動板２２に係合されて、主動板２０および第１従動板２２とともに回転しはじめる。さらに、図２に示すように、主動板２０が回転してその回転角が角度θ３に達すると、図１中の第３係合突部３４ａ、３４ｂが相互に係合される。これにより、仕切板１４が第２従動板２４に係合されて、当該第２従動板２４並びに主動板２０および第１従動板２２の回転が規制されて、一連の回転動作が停止する。すなわち、仕切板１４の各連通口１６は、これら主動板２０ならびに第１および第２従動板２２、２４の回転によって閉塞されるのである。
【００２８】
主動板２０の下方の羽根部２０ｂの下端部には、本発明における付勢手段として錘４０が設けられている。この錘４０は、図１の送風方向に対する主動板２０の回転方向とは逆方向に付勢をする役割を果たす。すなわち、錘４０は、主動板２０を図１に示す状態、即ち起立した状態に姿勢を保持し、主動板２０が安易に回転しないように抑えるとともに、風量が小さくなったときには、主動板２０が元の位置にスムーズに復帰するように付勢する。つまり、主動板２０は、この錘４０による付勢力に対抗するような回転力をダクト１２内の流通空気から受けない限り、回転しはじめることはないのである。錘４０については、その重さを調節することで、主動板２０への付勢力の調整を行うことができる。
【００２９】
一方、従動板２２、２４の下方の羽根部２２ｂ、２４ｂの下端部にも、本発明における付勢手段として錘４１が夫々設けられている。各錘４１は、主動板２０の錘４０と同様、図１の送風方向に対する主動板２０の回転方向とは逆方向に、従動板２２、２４をそれぞれ付勢する役割を果たす。これによって、各従動板２２、２４は、主動板２０が、図１の送風方向に対応する回転方向とは逆の方向に回転したときに、主動板２０とともにその逆の方向に回転してスムーズに元の位置に復帰できるようにすることができるとともに、従動板２２、２４を図１に示す起立状態に姿勢を保持することができる。各錘４１については、従動板２２、２４が主動板２０に係合したときに、主動板２０に対して付勢手段として働くとともに、その重さを調節することで、主動板２２への付勢力の調整を行うことができる。
【００３０】
図３は、ダクト１２内の流通空気の流量と、主動板２０の回転角度との関係を示したものである。ダクト１２内の流通空気の流量が、錘４０による付勢力に対抗するような回転力を主動板２０に発生させるような流量Ｐ１に達すると、主動板２０は回転を開始する。主動板２０は、流通空気の流量の増加とともに徐々に回転し、その回転角がθ１に達すると、第１従動板２２と係合する。ここで、第１従動板２２の重みによって、主動板２０の回転は一旦停止する。さらに流通空気の流量が増え、第１従動板２２の重みに十分対抗し得るような流量Ｐ２に達すると、主動板２０は再び回転を開始する。そして、流通空気の流量の増大とともに徐々に回転し、主動板２０の回転角がθ２に達すると、第１従動板２２が第２従動板２４に係合する。ここでも、第２従動板２４の重みによって、主動板２０の回転は一旦停止する。さらに流通空気の流量が増え、第２従動板２４の重みに十分対抗し得るような流量Ｐ３に達すると、主動板２０は回転を再開し、流通空気の流量の増加とともに徐々に回転する。ここで、主動板２０の回転角がθ２に達すると、第２従動板２４が仕切板１４に係合して、ここで主動板２０の回転が完全に停止される。
【００３１】
図４は、ダクト１２内の空気の風量に応じた風量調節ダンパ１０の様子を示したものである。同図（ａ）に示すように、「微風時」には、主動板２０並びに第１及び第２従動板２２、２４は、回転せずに、そのまま仕切板１４の連結部２８に重なり合っている。「弱風時」になると、同図（ｂ）に示すように、主動板２０が回転して連通口１６の一部を閉塞し、第１従動板２２に係合した状態で停止する。なお、第１従動板２２および第２従動板２４はそのまま回転せずに仕切板１４の連結部２８に重なり合ったままである。
【００３２】
そして、「中風時」になると、同図（ｃ）に示すように、主動板２０がさらに回転し、これに牽引される形で第１従動板２２が回転する。ここでは、第１従動板２２が第２従動板２４に係合した状態で停止する。これにより、連通口１６の一部が主動板２０および第１従動板２２により閉塞される。なお、第２従動板２４は、回転せずに仕切板１４の連結部２８に重なり合ったままである。さらに、「強風時」になると、同図（ｄ）に示すように主動板２０および第１従動板２２がさらに回転し、これに牽引される形で第２従動板２４も回転する。そして、第２従動板２４が仕切板１４に係合した状態で停止する。これによって、連通口１６は、主動板２０並びに第１及び第２従動板２２、２４によりほぼ閉塞されることになる。
【００３３】
以上のことから、この風量調節ダンパ１０にあっては、ダクト１２内を流通する空気の流量の増加に伴い、主動板２０が徐々に回転するとともに、当該主動板２０に係合して第１従動板２２および第２従動板２４も回転することから、これら主動板２０並びに第１及び第２従動板２２、２４によりダクト１２内の流通空気の流量に応じて仕切板１４の連通口１６を開閉することができ、これによって、ダクト１２内の流路断面の大きさを増減変更して、通過風量を調節することができる。このことから、非常に安易な構成であまりコストをかけずに、複数段階の風量調節を自動的に実施することができる。
【００３４】
特に、この風量調節ダンパ１０を、建物の給気経路を構成するダクトに設ければ、屋外からの外気の流量が大きい場合に、ダクト１２の流路断面積を小さくして、流入量を抑えることができ、非常に好ましい。もちろん、本実施形態に係る風量調節ダンパ１０を、建物の排気経路を構成するダクトに設けても良い。この場合、屋内側からの室内空気の流量が大きくなればなるほど、流路断面積が大きくなるように、本実施形態とは逆に動作するように構成すると良い。
【００３５】
また、本実施形態にあっては、従動板２２、２４を２枚備えていたが、本発明にあってはこれに限らず、１枚であっても３枚以上であっても良い。また、連通口１６については、本実施形態のように２箇所に限らず、１箇所でも３箇所以上であっても構わない。
【００３６】
また、本実施形態では、主動板２０および従動板２２、２４の羽根部２０ｂ、２２ｂ、２４ｂの枚数は各々２枚設けられていたが、本発明にあってはこれに限らず、１枚であっても３枚以上であっても良い。なお、主動板２０および従動板２２、２４の羽根部２０ｂ、２２ｂ、２４ｂの枚数は全て同じである必要はない。
【００３７】
また、本実施形態では、主動板２０および従動板２２、２４の大きさがほぼ等しくなるように設定されていたが、それぞれ異なる大きさに設定されていても良い。
【００３８】
また、本実施形態では、主動板２０および従動板２２、２４を相互に係合するための手段として、第１〜第３係合突部３０ａ、３０ｂ、３２ａ、３２ｂ、３４ａ、３４ｂを設けていたが、本発明にあってはこれに限らず、例えば、主動板２０と従動板２２の間、及び従動板２２、２４の間が相互に係合して回転すれば、どのような係合形態であっても構わない。
【００３９】
また、本実施形態では、主動板２０が付勢力に逆らって回転するとき（ここでは、連通口１６を閉じるとき）のみ、従動板２２、２４が主動板２０に係合して回転するように設けているが、主動板２０が逆の方向に回転して元の位置に復帰するときにも、従動板２２、２４が主動板２０に係合して回転して復帰し得るように係合部を設けても良い。
【００４０】
また、本実施形態では、主動板２０の羽根部２０ｂが空気の流通方向に対して斜めに取付けられて主動板２０が回転するように設けられていたが、主動板２０にプロペラ等の空気の流通により回転する回転手段を設け、当該回転手段により主動板２０を回転させるような構成であっても構わない。
【００４１】
また、本発明における付勢手段としては、前述したような錘４０、４１に限らず、例えば、コイルバネや、ゴム材等の状態復帰機能を有する伸縮材などにより構成されても良い。もちろん、主動板２０や従動板２２、２４の配置関係をうまく利用して、主動板２０または従動板２２、２４の自重により、錘４０、４１を用いずに主動板２０または従動板２２、２４を付勢するような構成にしても良い。
【００４２】
また、この他に、連通口１６の付近にルーパー等を設けて風向を変更できるようにしても良い。
【００４３】
さらに、前記実施形態では、空気の流量の増大とともに、連通口１６が閉じられるか若しくは開かれるかのどちらか一方に動作する構成について説明したが、本発明にあってはこれに限らず、空気の流動が増大する途中で開閉動作が切り替わるような構成にしても良い。
【００４４】
図５及び図６は、その場合の構成の一例を示した図である。この風量調節ダンパ４２は、図５に示すように、１枚の主動板４３と、３枚の従動板４４、４５、４６（以下、これらを第１〜第３従動板ともいう）とを備えている。主動板４３は、前記実施形態と同様に、２枚の羽根部４３ａを備え、ダクト１２内の空気の流れによって回転するように構成されている。一方、従動板４４、４５、４６は、それぞれ１枚の羽根部４４ａ、４５ａ、４６ａにより構成されている。３枚の従動板４４、４５、４６は、主動板４３の一方の羽根部４３ａに重合し得るように当該羽根部４３ａとほぼ同じサイズに各々形成されている。主動板４３は、その下端部に付勢手段として錘４０を有し、同図に示す姿勢を保持する方向に十分に力が作用するように構成されている。他方、３枚の従動板４４、４５、４６は、ストッパー４７により規制されて、同図に示す位置に係止されるように構成されている。
【００４５】
また、主動板４３と第１従動板４４とには夫々第１係合突部４８ａが、また第１従動板４４と第２従動板４５とには夫々第２係合突部４８ｂが、また第２従動板４５と第３従動板４６とには夫々第３係合突部４８ｃがそれぞれ設けられている。
【００４６】
ダクト１２内の空気の流れにより図中矢印方向に沿って主動板４３が回転すると、図６（ａ）に示すように、主動板４３の一方の羽根部４３ａが３枚の従動板４４、４５、４６に重なり合って、連通口１６が開かれる。主動板４３の回転は、当該主動板４３と第１従動板４４の各第１係合突部４８ａが相互に係合することにより一旦停止する。さらに空気の流れが強くなると、再び主動板４３が回転しはじめる。そして、図６（ｂ）に示すように、第１従動板４４が主動板４３に係合されて主動板４３とともに回転し始める。これによって、連通口１６は徐々に閉じられる。主動板４３および第１従動板４４の回転は、第１従動板４４と第２従動板４５の各第２係合突部４８ｂが相互に係合することにより一旦停止する。空気の流れが強くなると、さらに主動板４３が回転して、図６（ｃ）に示すように、連通口１６がさらに閉じられることになる。つまり、この風量調節ダンパ４２では、空気の流れが増大する途中で開閉動作が切り替わるようになっている。
【００４７】
図７は、このような風量調節ダンパ１０を用いた建物の換気構造の一例を示している。この建物５０は、図７（ａ）及び（ｂ）に示すように、その中央部分に中空筒体状のコア部５２が各階フロアを貫通して設けられている。このコア部５２は、エレベータ（ＥＶ）シャフトであり、下階部から上階部にわたって連通されている。各階には、当該コア部５２を取り囲むようにしてエレベータホール５３が設けられている。また、当該エレベータホール５３と屋外とを結んで、外気を取り込む給気ダクト５４が設けられている。この給気ダクト５４に風量調節ダンパが設置されている。また、各階のエレベータホール５３とコア部５２との間の壁部に、複数箇所にわたり風量調節ダンパ１０が設けられている。このように給気ダクト５４と、エレベータホール５３とコア部５２との間の壁部との双方に、風量調節ダンパ１０を設置することで、建物５０の南北や上下などにおける圧力差を利用して、各階に自然に外気を取り込むことができる。また、各階の室内空気をコア部５２を通じてその最上部の排気口５２ａから自然に排出することができる。すなわち、この建物５０においては、自然に換気を行うことができるのである。
【００４８】
また、図８に示すような住戸６０を有する建物６２においても、各住戸６０の外壁部に設けられた外気を取り込む給気口６４に風量調節ダンパ１０を設置するとともに、各住戸６０とコア部６６とを結んで設けられた排気経路６８にも風量調節ダンパ１０を設置する。これによって、建物６２の南北や上下などにおける圧力差を利用して、各住戸６０に自然に外気を取り込むことができるとともに、各住戸６０の室内空気を排気経路６８を通じてコア部６６に送り込み、コア部６６の最上部から自然に排出することができ、自然換気を行うことができる。
【００４９】
【発明の効果】
本発明によれば、電動または手動に依らずに、非常に簡単な構成であまりコストをかけずに、複数段階の風量調節を行うことができる。
【図面の簡単な説明】
【図１】本発明の一実施形態である風量調節ダンパの構成を示した組立分解斜視図である。
【図２】本発明の一実施形態である風量調節ダンパを示した正面図である。
【図３】ダクトにおける空気の流量と主動板の回転角との関係を示したグラフである。
【図４】本発明の一実施形態である風量調節ダンパの開閉動作を示した説明図である。
【図５】本発明の風量調節ダンパの他の実施形態を示した説明図である。
【図６】本発明の風量調節ダンパの他の実施形態の開閉動作を示した説明図である。
【図７】本発明の風量調節ダンパの設置例を示した建物の内部構造図である。
【図８】本発明の風量調節ダンパの設置例を示した建物の内部構造図である。
【符号の説明】
１０　風量調節ダンパ
１２　ダクト
１４　仕切板
１６　連通口
１８　円板部
１９　ピン挿入孔
２０　主動板
２２　第１従動板
２４　第２従動板
２０ｂ、２２ｂ、２４ｂ　羽根部
２６　軸ピン
２８　連結部
２０ｃ、２２ｃ、２４ｃ　ピン挿入孔
３０ａ、３０ｂ　第１係合突部
３２ａ、３２ｂ　第２係合突部
３４ａ、３４ｂ　第３係合突部
４０、４１　錘
４２　風量調節ダンパ
４３　主動板
４４、４５、４６　従動板
４８ａ　第１係合突部
４８ｂ　第２係合突部
４８ｃ　第３係合突部
５０　建物
【図１】
2004138252.tif 000003
【図２】
2004138252.tif 000004
【図３】
2004138252.tif 000005
【図４】
2004138252.tif 000006
【図５】
2004138252.tif 000007
【図６】
2004138252.tif 000008
【図７】
2004138252.tif 000009
【図８】
2004138252.tif 000010